(57)【要約】【課題】操作ボタンの押し込み操作だけで、チャンネル吸引口から吸引する状態とバルーン吸引口から吸引する状態とを切り換えることができ、しかも、構成がシンプルで作動不良等が発生し難く、チャンネル吸引口から吸引をするための操作が行われる際にバルーン吸引口側からの吸引漏れが発生しない超音波内視鏡の吸引操作弁装置を提供すること。【解決手段】操作ボタン１６が押し込み操作範囲の中間位置まで押し込み操作されると、吸引元管路９とバルーン吸引管路８との間がピストン外筒１４により閉塞された状態を維持したまま、吸引元管路９とチャンネル吸引管路７との間が連通し、その状態から操作ボタン１６がさらに押し込み操作されると、シリンダ体１１の内周面とピストン外筒１４の外周面との間に形成された空間Ｂを経由して吸引元管路９とバルーン吸引管路８との間が連通する。【選択図】      図１
2006000526.tif 000002
【特許請求の範囲】
【請求項１】
膨縮自在なバルーンが挿入部の先端に取り付けられて、上記バルーンの内部に開口するバルーン吸引口と上記バルーンの外部に開口するチャンネル吸引口とが上記挿入部の先端に設けられた超音波内視鏡の吸引操作弁装置であって、
上記挿入部の基端に連結された操作部に、上記バルーン吸引口から吸引する状態と上記チャンネル吸引口から吸引する状態とを切り換え操作するための吸引操作弁が配置され、上記吸引操作弁には、吸引源に連通する吸引元管路と上記バルーン吸引口に連通するバルーン吸引管路と上記チャンネル吸引口に連通するチャンネル吸引管路とが接続されたシリンダ体と、押し込み操作することにより上記シリンダ体内で軸線方向に移動して、上記吸引元管路に対して上記バルーン吸引管路が連通する状態と上記チャンネル吸引管路が連通する状態とを切り換えるピストン体が設けられた超音波内視鏡の吸引操作弁装置において、
上記ピストン体に、筒状に形成されて上記シリンダ体に内接するピストン外筒と、上記ピストン外筒に内接して軸線方向に進退自在なピストン内筒とを設けると共に、上記ピストン外筒と上記ピストン内筒とを連携させて押し込み操作するための操作ボタンを上記ピストン内筒の頭部に取り付け、
上記操作ボタンが押し込み操作されていない待機状態においては、上記吸引元管路と上記バルーン吸引管路との間が上記ピストン外筒により閉塞されると同時に、上記吸引元管路と上記チャンネル吸引管路との間が上記ピストン内筒によって閉塞され、
上記操作ボタンが押し込み操作範囲の中間位置まで押し込み操作されると、上記ピストン外筒と上記ピストン内筒のうち上記ピストン内筒だけが軸線方向に移動させられて、上記吸引元管路と上記バルーン吸引管路との間が上記ピストン外筒により閉塞された状態を維持したまま、上記吸引元管路と上記チャンネル吸引管路との間が連通し、
その状態から上記操作ボタンがさらに押し込み操作されると、上記ピストン外筒が上記ピストン内筒と共に軸線方向に移動させられることにより、上記吸引元管路と上記チャンネル吸引管路との間が閉塞されて、上記シリンダ体の内周面と上記ピストン外筒の外周面との間に形成された空間を経由して上記吸引元管路と上記バルーン吸引管路との間が連通するようにした
ことを特徴とする超音波内視鏡の吸引操作弁装置。
【請求項２】
上記ピストン内筒が、全長にわたって上記ピストン外筒の内周面より外側に突出しない形状に形成されている請求項１記載の超音波内視鏡の吸引操作弁装置。
【請求項３】
上記シリンダ体の奥寄りの半部の内径が口元寄りの半部の内径より細く形成されていて、上記ピストン外筒と上記ピストン内筒のうち、上記シリンダ体の奥寄りの半部の内周面には上記ピストン内筒のみが内接し、上記シリンダ体の口元寄りの半部の内周面には上記ピストン外筒のみが内接する請求項２記載の超音波内視鏡の吸引操作弁装置。
【請求項４】
上記チャンネル吸引管路は上記シリンダ体の奥寄りの半部に接続され、上記吸引元管路と上記バルーン吸引管路は上記シリンダ体の口元寄りの半部に接続されている請求項３記載の超音波内視鏡の吸引操作弁装置。
【発明の詳細な説明】
【技術分野】
【０００１】
この発明は超音波内視鏡の吸引操作弁装置に関する。
【背景技術】
【０００２】
超音波内視鏡においては一般に、膨縮自在なバルーンが挿入部先端に取り付けられていて、バルーンの内部に開口するバルーン吸引口とバルーンの外部に開口するチャンネル吸引口とが挿入部先端に設けられ、バルーン吸引口からの吸引動作とチャンネル吸引口からの吸引動作とを切り換え操作することができる吸引操作弁装置が、操作部に配置されている。
【０００３】
そのような吸引操作弁装置は、旧来は操作ボタンを押し込み操作する操作弁装置と吸引を作用させる配管を切り換える切り換えレバー等を組み合わせたものだったが、それでは操作が煩雑になるので、操作ボタンの押し込み操作を２段階にして、操作ボタンを中間まで押し込んだ状態とさらに一杯まで押し込んだ状態とで、チャンネル吸引口から吸引する状態とバルーン吸引口から吸引する状態とを切り換えることができるようにしている（例えば、特許文献１）。
【０００４】
なお、チャンネル吸引口からの吸引は内視鏡操作中に比較的頻繁に行われ、バルーン吸引口からの吸引はほとんどの場合超音波観察の終了時のみに行われるという相違から、ピストン体が中間位置まで押し込まれた時にチャンネル吸引口からの吸引が行われ、その状態からさらにピストン体が押し込まれるとバルーン吸引口からの吸引が行われるようになっている。
【特許文献１】特許第３０１７９５７号
【発明の開示】
【発明が解決しようとする課題】
【０００５】
しかし、特許文献１に記載されたような従来の超音波内視鏡の吸引操作弁装置においては、チャンネル吸引口に連通するシリンダ体とバルーン吸引口に連通するシリンダ体の二つのシリンダ体が並列に並んで配置されて、共通の操作ボタンによって進退するピストン体が各シリンダ体内に各々配置されていて、二軸に分かれた二つの操作弁機構を一つの操作ボタンで操作するようにしたものなので、構造が極めて複雑で組み立てが面倒であると同時に、作動不良も発生し易い等の欠点がある。
【０００６】
そこで、一つのシリンダ体内に一つのピストン体を軸線方向に進退自在に配置して、操作ボタンを中間まで押し込むかさらに一杯まで押し込むかで、チャンネル吸引口からの吸引動作とバルーン吸引口からの吸引動作とが切り換わるようにすることが考えられる。
【０００７】
しかし、単純にそのような構成を採ると、チャンネル吸引口からの吸引を行うためにピストン体が中間位置まで押し込まれた状態ではバルーン吸引口側を完全にシールすることができるものの、ピストン体が待機状態からその状態まで押し込まれる途中の状態ではバルーン吸引口側のシールが解かれて吸引漏れが発生し、少量ではあるがバルーン吸引口からも吸引されてバルーンが収縮してしまう。
【０００８】
したがって、バルーンを膨らませて超音波観察をしている最中にチャンネル吸引口から吸引をするための操作が行われると、その都度、バルーンを再拡張させるための送水操作が必要になって、操作が非常に面倒なものになってしまう。
【０００９】
そこで本発明は、操作ボタンの押し込み操作だけで、チャンネル吸引口から吸引する状態とバルーン吸引口から吸引する状態とを切り換えることができ、しかも、構成がシンプルで作動不良等が発生し難く、チャンネル吸引口から吸引をするための操作が行われる際にバルーン吸引口側からの吸引漏れが発生しない超音波内視鏡の吸引操作弁装置を提供することを目的とする。
【課題を解決するための手段】
【００１０】
上記の目的を達成するため、本発明の超音波内視鏡の吸引操作弁装置は、膨縮自在なバルーンが挿入部の先端に取り付けられて、バルーンの内部に開口するバルーン吸引口とバルーンの外部に開口するチャンネル吸引口とが挿入部の先端に設けられた超音波内視鏡の吸引操作弁装置であって、挿入部の基端に連結された操作部に、バルーン吸引口から吸引する状態とチャンネル吸引口から吸引する状態とを切り換え操作するための吸引操作弁が配置され、吸引操作弁には、吸引源に連通する吸引元管路とバルーン吸引口に連通するバルーン吸引管路とチャンネル吸引口に連通するチャンネル吸引管路とが接続されたシリンダ体と、押し込み操作することによりシリンダ体内で軸線方向に移動して、吸引元管路に対してバルーン吸引管路が連通する状態とチャンネル吸引管路が連通する状態とを切り換えるピストン体が設けられた超音波内視鏡の吸引操作弁装置において、ピストン体に、筒状に形成されてシリンダ体に内接するピストン外筒と、ピストン外筒に内接して軸線方向に進退自在なピストン内筒とを設けると共に、ピストン外筒とピストン内筒とを連携させて押し込み操作するための操作ボタンをピストン内筒の頭部に取り付け、操作ボタンが押し込み操作されていない待機状態においては、吸引元管路とバルーン吸引管路との間がピストン外筒により閉塞されると同時に、吸引元管路とチャンネル吸引管路との間がピストン内筒によって閉塞され、操作ボタンが押し込み操作範囲の中間位置まで押し込み操作されると、ピストン外筒とピストン内筒のうちピストン内筒だけが軸線方向に移動させられて、吸引元管路とバルーン吸引管路との間がピストン外筒により閉塞された状態を維持したまま、吸引元管路とチャンネル吸引管路との間が連通し、その状態から操作ボタンがさらに押し込み操作されると、ピストン外筒がピストン内筒と共に軸線方向に移動させられることにより、吸引元管路とチャンネル吸引管路との間が閉塞されて、シリンダ体の内周面とピストン外筒の外周面との間に形成された空間を経由して吸引元管路とバルーン吸引管路との間が連通するようにしたものである。
【００１１】
なお、ピストン内筒が、全長にわたってピストン外筒の内周面より外側に突出しない形状に形成されていると製造が容易であり、シリンダ体の奥寄りの半部の内径が口元寄りの半部の内径より細く形成されていて、ピストン外筒とピストン内筒のうち、シリンダ体の奥寄りの半部の内周面にはピストン内筒のみが内接し、シリンダ体の口元寄りの半部の内周面にはピストン外筒のみが内接するようにしてもよい。
【００１２】
そして、チャンネル吸引管路はシリンダ体の奥寄りの半部に接続され、吸引元管路とバルーン吸引管路はシリンダ体の口元寄りの半部に接続されているようにしてもよい。
【発明の効果】
【００１３】
本発明によれば、操作ボタンの押し込み操作だけで、チャンネル吸引口から吸引する状態とバルーン吸引口から吸引する状態とを切り換えることができ、しかも、シンプルで作動不良等が発生し難い構成で、チャンネル吸引口から吸引をするための操作が行われる際にバルーン吸引口側からの吸引漏れが発生しない。
【発明を実施するための最良の形態】
【００１４】
操作ボタンが押し込み操作されていない待機状態においては、吸引元管路とバルーン吸引管路との間がピストン外筒により閉塞されると同時に、吸引元管路とチャンネル吸引管路との間がピストン内筒によって閉塞され、操作ボタンが押し込み操作範囲の中間位置まで押し込み操作されると、ピストン外筒とピストン内筒のうちピストン内筒だけが軸線方向に移動させられて、吸引元管路とバルーン吸引管路との間がピストン外筒により閉塞された状態を維持したまま、吸引元管路とチャンネル吸引管路との間が連通し、その状態から操作ボタンがさらに押し込み操作されると、ピストン外筒がピストン内筒と共に軸線方向に移動させられることにより、吸引元管路とチャンネル吸引管路との間が閉塞されて、シリンダ体の内周面とピストン外筒の外周面との間に形成された空間を経由して吸引元管路とバルーン吸引管路との間が連通する。
【実施例】
【００１５】
図面を参照して本発明の実施例を説明する。
図２は本発明の超音波内視鏡を示しており、可撓性の挿入部１の基端に操作部２が連結され、挿入部１の先端には、軸線周りに超音波信号を発受信するラジアル走査の超音波プローブ３が配置されると共に、前方を光学観察するための光学観察窓４が先端面に配置されている。
【００１６】
また、挿入部１の先端部分は、超音波プローブ３と被検部との間に超音波信号の伝達性の悪い空気層がないようにするために、脱気水等によって膨縮されるバルーン５が超音波プローブ３を囲む状態に取り付けられるようになっている。
【００１７】
挿入部１内には、鉗子や注射具等を挿脱するための鉗子チャンネル６が全長にわたって挿通配置されていて、その先端開口であるチャンネル吸引口６ａが、バルーン５の外部に位置する挿入部１の先端面に配置されている。
【００１８】
鉗子挿入口６ｂは挿入部１と操作部２との連結部付近に配置されており、また、鉗子チャンネル６に対してその基端部付近において連通接続されたチャンネル吸引管路７が、操作部２の上半部に配置されている吸引操作弁１０に接続されている。
【００１９】
挿入部１内には、バルーン５内に充填された脱気水を吸引するためのバルーン吸引管路８等も挿通配置されていて、バルーン吸引管路８の先端開口であるバルーン吸引口８ａは挿入部１の先端においてバルーン５の内側に開口し、バルーン吸引管路８の基端は操作部２内において吸引操作弁１０に接続されている。９は、吸引操作弁１０と図示されていない吸引源とを連通接続する吸引元管路である。
【００２０】
図１は、吸引操作弁１０の待機状態を示す縦断面図である。ただし、一つの図面でできるだけ説明し得るように、あい異なる方向の断面を差し障りのない範囲で適宜複合して一つの図面に図示してある。
【００２１】
操作部２内に配置されたシリンダ体１１は、外方に向けて開口する状態に固定ナット１２により操作部２に固定されている。１３はシール用のＯリングである。なお、各図において、弾力性があって押し潰された状態に装着されるシール部材の類は、押し潰される前の状態を図示してある。
【００２２】
底部に別部品を継ぎ足して有底状に形成されたシリンダ体１１は、奥寄りの半部の内径が口元寄りの半部の内径より細く形成されており、チャンネル吸引管路７の基端は、そのようなシリンダ体１１の底面部（即ち、奥寄りの半部）に開口接続されている。
【００２３】
また、バルーン吸引管路８の基端開口８ｂと吸引元管路９の接続開口９ａとは、図１におけるIII−III断面を図示する図３にも示されるように軸線周りに方向をずらして、吸引元管路９がバルーン吸引管路８より奥側にある位置関係に、シリンダ体１１の口元寄りの半部の側壁部に接続されている。
【００２４】
シリンダ体１１内に軸線方向に進退自在に嵌挿されたピストン体は、シリンダ体１１に対して軸線方向に進退自在に内接する円筒状のピストン外筒１４と、ピストン外筒１４に対して軸線方向に進退自在に内接するピストン内筒１５とが同軸に配置された構造になっていて、ピストン内筒１５は、全長にわたってピストン外筒１４の内周面より外側に突出しない形状に形成されている。
【００２５】
そして、ピストン外筒１４とピストン内筒１５の各々の外径は、シリンダ体１１の奥寄りの半部の内周面にピストン内筒１５のみが内接し、シリンダ体１１の口元寄りの半部の内周面にピストン外筒１４のみが内接するように形成されている。
【００２６】
ピストン外筒１４とピストン内筒１５の頭部は、操作部２の外表面に開口するシリンダ体１１の口元から突出していて、ピストン内筒１５の頭部には、第１のバネ受け部材１８と図４にも示される連結軸１５０を介して操作ボタン１６が取り付けられている。
【００２７】
ピストン外筒１４の頭部部分には、図５にも示されるように、フランジ管状に形成された第２のバネ受け部材１９が螺合連結されており、第１のバネ受け部材１８と第２のバネ受け部材１９との間に装着された第１の圧縮コイルスプリング２１によって、ピストン内筒１５がピストン外筒１４から外方に飛び出す方向（図１において上方）に付勢されている。
【００２８】
ただし、ピストン外筒１４の内面の途中に形成された段部とピストン内筒１５の外面の途中に形成された段部とが当接することにより、ピストン内筒１５が図１に示された状態よりピストン外筒１４から相対的に外方に飛び出せないように規制されている。
【００２９】
また、第１の圧縮コイルスプリング２１が外部から見えないようにカバーをする第１のカバー筒１７が、第１の圧縮コイルスプリング２１によって第２のバネ受け部材１９に押し付けられた状態に取り付けられている。
【００３０】
２２は、第１の圧縮コイルスプリング２１に比べて数倍大きなバネ定数に設定されている第２の圧縮コイルスプリングであり、第１の圧縮コイルスプリング２１と直列の関係に配置されて、第２のバネ受け部材１９を外方に付勢している。
【００３１】
第２の圧縮コイルスプリング２２の基端側を受けるピストン止め環２０Ａは、ピストン外筒１４が所定状態以上にシリンダ体１１内から抜け出すのを阻止するストッパにもなっていて、第２の圧縮コイルスプリング２２を外部から見えないようにするためのカバーの機能も有している。
【００３２】
また、ピストン止め環２０Ａに一体的にライニングされた弾力性のあるプラスチック材等からなる係止環２０Ｂの下端部の内爪部分が固定ナット１２の外周鍔部に引っ掛かり係合し、それによってピストン外筒１４、ピストン内筒１５及び操作ボタン１６等を含むユニットをシリンダ体１１に固定している。
【００３３】
したがって、係止環２０Ｂを弾性変形させて固定ナット１２との係合を解けば、操作ボタン１６等と共にピストン外筒１４やピストン内筒１５をシリンダ体１１から外方に引き出すことができる。なお、係止環２０Ｂの内爪部分と固定ナット１２の外周鍔部との係合部分は一部に周方向に不連続な部分が形成されていて、軸線周りへの相対的な回転が規制されている。
【００３４】
また、ピストン止め環２０Ａの内縁部に固定的に取り付けられた半球状のガイド球２５が、図５にも示されるようにピストン外筒１４の外面に軸線と平行方向に形成された直線溝２６と、図１におけるVI−VI断面を図示する図６にも示されるように僅かな隙間で係合しており、その結果、ピストン外筒１４はシリンダ体１１に対して軸線方向には移動自在であるが、軸線周りに回転することはできない。
【００３５】
そして、ピストン外筒１４とピストン内筒１５とには、図１におけるVII−VII断面を図示する図７に示されるように、ピストン内筒１５の外面を１８０°対称位置で平らに削ぎ落とした平面部１５ａと、その平面部１５ａを緩く挟む状態にピストン外筒１４の内面に形成された平面部１４ａとが互いに向かい合う状態に配置されており、その結果、ピストン外筒１４とピストン内筒１５も、相対的に軸線方向には移動自在であるが、軸線周りに回転することはできない。
【００３６】
そのようなピストン外筒１４には、図５にも示されるように、外周面の中間部分に装着されたＯリング２７を挟んでその両側に外位置側孔２８と内位置側孔２９とが各々側壁を貫通して形成されている。
【００３７】
また、シリンダ体１１の内周面と嵌合するピストン外筒１４の奥側端部付近の外周面には、図５及び図３にも示されるように、バルーン吸引管路８の基端開口８ｂを塞ぐための弾力性のあるゴム材等からなる栓体３４が、バルーン吸引管路８の基端開口８ｂに対向する位置に形成された凹部に少しだけ出っ張った状態に取り付けられている。
【００３８】
また、それと並んで、流体の通路となる吸引路３０がピストン外筒１４の奥側端部付近の外面を部分的に削ぎ落として形成されており、そのような吸引路３０は、吸引元管路９の接続開口９ａに面する位置とそれに対して１８０°対称の位置とに形成されている。
【００３９】
ただし、図３に示されるように、ピストン外筒１４の栓体３４が取り付けられている位置に対して１８０°対称の裏側位置Ａでは、ピストン外筒１４の外周面が吸引路３０等によって切り欠かれることなくシリンダ体１１の内周面にピッタリと接している。
【００４０】
したがって、ピストン外筒１４とシリンダ体１１との間で押し潰されている栓体３４から生じる反発力によってピストン外筒１４が裏側位置Ａ方向に強く付勢されているものの、それによってピストン外筒１４の軸線位置がずれてしまうことはなく、ピストン外筒１４が軸線方向にスムーズに進退する。
【００４１】
ピストン内筒１５には、側面と奥側端面とに開口するチャンネル吸引連通孔３１がＬ字状に形成されている。３１ａは奥側開口、３１ｂは側面開口である。そして、ピストン内筒１５の外周面には、図４にも示されるように、奥側端部付近と、チャンネル吸引連通孔３１の側面開口３１ｂを挟んでその両側位置とに各々Ｏリング３５が装着されている。また、連結軸１５０の基部付近にもＯリング３６が装着されている。
【００４２】
このように構成された実施例の超音波内視鏡の吸引操作弁装置は、図１に示される待機状態においては、ピストン外筒１４とピストン内筒１５が第２の圧縮コイルスプリング２２と第１の圧縮コイルスプリング２１によって、各々最大限に外方に突出する状態に押し上げられている。
【００４３】
そして、外気が外位置側孔２８を通ってピストン外筒１４内に入った後、内位置側孔２９からピストン外筒１４とシリンダ体１１との隙間へ出て、そこから吸引路３０内を通過して吸引元管路９に吸引されている。チャンネル吸引管路７及びバルーン吸引管路８からの吸引は、Ｏリング３５及び栓体３４によって阻止されている。
【００４４】
その状態から、指先で操作ボタン１６を押し込み操作して、図８に示されるように、第１の圧縮コイルスプリング２１が圧縮され終わって第２の圧縮コイルスプリング２２も圧縮され始める位置に操作ボタン１６が達すると、操作ボタン１６を操作する指に大きな抵抗が作用し、その時に、ピストン内筒１５に形成されているチャンネル吸引連通孔３１の側面開口３１ｂが吸引元管路９の接続開口９ａに対向する位置に来る。
【００４５】
その結果、チャンネル吸引管路７と吸引元管路９とがシリンダ体１１内とチャンネル吸引連通孔３１とを介して連通し、挿入部１の先端のチャンネル吸引口６ａから体内の汚液等が吸引源に吸引される。
【００４６】
その状態においては、依然としてピストン外筒１４は移動しておらず、その状態で操作ボタン１６から指を離せば元の待機状態に戻る。したがって、バルーン吸引管路８の基端開口８ｂを栓体３４により完全に塞いだ状態のままで、チャンネル吸引管路７からの吸引操作のみを行うことができる。
【００４７】
また、前述のように、シリンダ体１１とピストン外筒１４との間はガイド球２５と直線溝２６との係合により軸線周りの回転止めがなされ、ピストン外筒１４とピストン内筒１５との間は平面部１４ａ，１５ａどうしの係合により軸線周りの回転止めがなされていることにより、チャンネル吸引連通孔３１の側面開口３１ｂが常に正確に吸引元管路９の接続開口９ａに対向するので、固形の吸引物等があっても吸引操作弁１０内で詰まることなく確実に吸引元管路９に吸引排出される。
【００４８】
図８に示される状態からさらに指先に力を入れて操作ボタン１６を押し込むと、図９に示されるように、第１の圧縮コイルスプリング２１に続いて第２の圧縮コイルスプリング２２も圧縮されて、ピストン内筒１５と共にピストン外筒１４がシリンダ体１１内に押し込まれた状態になる。
【００４９】
すると、バルーン吸引管路８の基端開口８ｂに対向する位置から奥側に栓体３４が移動すると同時に、チャンネル吸引連通孔３１の側面開口３１ｂが接続開口９ａに対向する位置からシリンダ体１１の奥側半部内に退避して塞がれた状態になる。
【００５０】
その結果、バルーン吸引管路８の基端開口８ｂと吸引元管路９の接続開口９ａとの間のみが、シリンダ体１１の内周面とピストン外筒１４の外周面との間に形成された空間Ｂ及び吸引路３０を経由して連通した状態になるので、バルーン５内の脱気水等が挿入部１の先端のバルーン吸引口８ａから吸引源に吸引されてバルーン５を縮ませることができ、操作ボタン１６から指を離せば、図８に示されるチャンネル吸引管路７からの吸引状態を経て図１に示される待機状態に戻る。
【図面の簡単な説明】
【００５１】
【図１】本発明の実施例の超音波内視鏡の吸引操作弁装置における待機状態の縦断面図である。
【図２】本発明の実施例の超音波内視鏡の全体構成を示す側面図である。
【図３】本発明の実施例の超音波内視鏡の吸引操作弁装置の図１におけるIII−III断面図である。
【図４】本発明の実施例の超音波内視鏡の吸引操作弁装置のピストン内筒の斜視図である。
【図５】本発明の実施例の超音波内視鏡の吸引操作弁装置のピストン外筒の斜視図である。
【図６】本発明の実施例の超音波内視鏡の吸引操作弁装置の図１におけるVI−VI断面図である。
【図７】本発明の実施例の超音波内視鏡の吸引操作弁装置の図１におけるVII−VII断面図である。
【図８】本発明の実施例の超音波内視鏡の吸引操作弁装置においてチャンネル吸引管路から吸引される状態の縦断面図である。
【図９】本発明の実施例の超音波内視鏡の吸引操作弁装置においてバルーン吸引管路から吸引される状態の縦断面図である。
【符号の説明】
【００５２】
５  バルーン
６ａ  チャンネル吸引口
７  チャンネル吸引管路
８  バルーン吸引管路
８ａ  バルーン吸引口
９  吸引元管路
１０  吸引操作弁
１１  シリンダ体
１４  ピストン外筒
１４ａ  平面部
１５  ピストン内筒
１５ａ  平面部
１６  操作ボタン
２１  第１の圧縮コイルスプリング
２２  第２の圧縮コイルスプリング
２５  ガイド球
２６  直線溝
２８  外位置側孔
２９  内位置側孔
３０  吸引路
３１  チャンネル吸引連通孔
３４  栓体
Ｂ  シリンダ体の内周面とピストン外筒の外周面との間に形成された空間
【図１】
2006000526.tif 000003
【図２】
2006000526.tif 000004
【図３】
2006000526.tif 000005
【図４】
2006000526.tif 000006
【図５】
2006000526.tif 000007
【図６】
2006000526.tif 000008
【図７】
2006000526.tif 000009
【図８】
2006000526.tif 000010
【図９】
2006000526.tif 000011